(57)【要約】【課題】  ノイズによる誤動作を低コストで効果的に防止できる紙幣識別機能付きの台間機等に用いる機器を提供する。【解決手段】  台間機１０の上部には、投入される紙幣の真贋を識別するための紙幣識別装置１１を、その下方に玉貸し用の制御部１２を備える。紙幣識別装置１１と制御部１２の基板を共通化あるいは一体化し、紙幣識別装置１１をなす基板部１１ａに備えるマイクロコンピュータ１１ｂを制御部１２用にも兼用する。紙幣識別装置１１の基板部１１ａと制御部１２の基板部１２ａとの間にはケーブル等の電気的、電子的な接続手段を不要とする。ケーブル等がアンテナとして働いてノイズを外部へ放射したり、他の機器から発せられたノイズを拾ってしまったりすることが少なくなり、ノイズによる紙幣識別装置１１の動作への影響を減らすことができる。【選択図】        図３
0003112727.tif 000002
【実用新案登録請求の範囲】
【請求項１】
遊技機間に配置するなどして使用される台間機等の紙幣識別機能付きの機器おいて、紙幣の真贋を識別するための紙幣識別手段と、パチンコ玉や遊戯用コインを排出するための動作の制御手段の基板を共通化あるいは一体化し、基板に備えるマイクロコンピュータとしての手段を兼用し、前記紙幣識別手段をなす基板部と制御手段をなす基板部との間をケーブルやワイヤハーネス等の電気的、電子的な接続手段で接続しないようにしてなることを特徴とする紙幣識別機能付きの機器。
【考案の詳細な説明】
【技術分野】
【０００１】
本考案は、パチンコ遊技機やコイン遊技機等の遊技機間に配置するなどして使用される台間機等の紙幣識別機能付きの機器に関する。
【背景技術】
【０００２】
パチンコ遊技機やコイン遊技機等では従来、図１に示すように、複数台を横に連ならせて設けた複数台の遊技機（図はパチンコ台）１の間に台間機２を配し、この台間機２に紙幣を投入することにより、投入金額に相当するパチンコ玉や遊戯用コインを排出する仕組みになっている。
【０００３】
図２は、台間機２の構成を模式的に示す概念図である。台間機２の上部には、投入される紙幣の真贋を識別するための紙幣識別装置３が配置されている。またこの紙幣識別装置３の下方には、パチンコ玉や遊戯用コインを排出する、いわゆる玉貸し用の制御部４が配置され、底部にはこれらとその他図示しない装置、回路、機器へ電源を供給するための電源部５を備えている。なお、紙幣識別装置３と制御部４とは、電気的、電子的な部分はそれぞれ基板化されている。また図中の矢印Ａは玉貸し経路を示し、６はパチンコ玉や遊戯用コインを排出する供給口である。紙幣識別装置３と制御部４と電源部５の間の配線等は図示を省略する。
【特許文献１】特開平２００２−３５４０１号公報
【考案の開示】
【考案が解決しようとする課題】
【０００４】
ところで上述のような従来の台間機２では、紙幣識別装置３と制御部４をなす基板部３ａ、４ａがそれぞれマイクロコンピュータあるいはＣＰＵ（以下、マイクロコンピュータという）３ｂ、４ｂを内蔵して動作しており、両者の間は適宜のＩＯ手段８を介してケーブルあるいはワイヤハーネス（以下、単にケーブルという）８により接続されている。ケーブル８は周知のようにアンテナとして働くため、基板部３ａ、４ａの間で制御コマンド等の電気信号が流れると、それがノイズとして外部へ放射されて他の機器の動作に影響を及ぼしたり、あるいは逆にパチンコ遊技機やコイン遊技機等の他の機器から発せられたノイズをケーブル８が拾ってしまい、紙幣識別装置３や制御部４の動作に影響が生じたりすることがある。
【０００５】
特に紙幣識別装置３の動作に影響が生じることがあると、これは紙幣の真贋識別のミスにつながるため、どうしても避けたい問題であるが、本願考案者などが知る限りではコストが掛かって現実的な対応となっていなかった。
【０００６】
もちろん、パチンコ遊技機やコイン遊技機等の遊技機の動作に影響を及ぼしてしまうこともあるので、いずれにしても解決が望まれていた。
【０００７】
そこで本考案は、ノイズによる誤動作を低コストで効果的に防止できる紙幣識別機能付きの機器を提供することを目的とする。
【課題を解決するための手段】
【０００８】
本考案の請求項１に係る紙幣識別機能付きの機器は、上記目的を達成するために、遊技機間に配置するなどして使用される台間機等の紙幣識別機能付きの機器おいて、紙幣の真贋を識別するための紙幣識別手段と、パチンコ玉や遊戯用コインを排出するための動作の制御手段の基板を共通化あるいは一体化し、基板に備えるマイクロコンピュータとしての手段を兼用し、前記紙幣識別手段をなす基板部と制御手段をなす基板部との間をケーブルやワイヤハーネス等の電気的、電子的な接続手段で接続しないようにしてなることを特徴とする。
【考案の効果】
【０００９】
本考案に係る紙幣識別機能付きの機器は、ノイズによる誤動作を低コストで効果的に防止することを達成できる。
【考案を実施するための最良の形態】
【００１０】
以下本考案を実施するための最良の形態を、図に示す実施例を参照して説明する。なお以下では従来と共通する部分には共通する符号を付して説明する。
【実施例１】
【００１１】
図３は、本考案に係る紙幣識別機能付きの機器の一例である台間機１０の構成を模式的に示す、図２相当の概念図である。台間機１０の上部には、投入される紙幣の真贋を識別するための紙幣識別装置１１が配置され、この紙幣識別装置１１の下方に玉貸し用の制御部１２が配置され、底部には電源部５を備えている点では従来の例と共通した構成を有し、動作等も同等である。
【００１２】
紙幣識別装置１１と制御部１２とは、電気的、電子的な部分は基板化されている点も従来例と同様であるが、本実施例の台間機１０では、紙幣識別装置１１と制御部１２の基板を共通化あるいは一体化し、紙幣識別装置１１をなす基板部１１ａに備えるマイクロコンピュータ１１ｂを制御部１２用にも兼用している。そのため、紙幣識別装置１１をなす基板部１１ａと制御部１２をなす基板部１２ａとの間には少なくともケーブルあるいはワイヤハーネス等の電気的、電子的な接続手段が不要とされている。なおもちろん、本考案装置が備えるマイクロコンピュータは１個あるいは１台に限定されず、用途に応じて複数個備えるようにすることも可能である。
【００１３】
したがってケーブル等がアンテナとして働いて、ノイズを外部へ放射したり、逆にパチンコ遊技機やコイン遊技機等の他の機器から発せられたノイズを拾ってしまったりすることが少なくなり、紙幣識別装置１１や制御部１２の動作に影響が生じることも少なくなる。これにより、ノイズによる紙幣識別装置１１の動作への影響を減らすことができるようになり、もちろん紙幣の真贋識別のミスをも減らせることになる。すなわち、紙幣識別装置１１と制御部１２の基板を共通化あるいは一体化するだけで、ノイズによる誤動作を低コストで効果的に防止できるようになる。
【図面の簡単な説明】
【００１４】
【図１】複数台の遊技機（パチンコ台）の間に台間機を配した状態の概略を示す正面図
【図２】図１に示した台間機の構成を模式的に示す概念図
【図３】本考案に係る台間機の構成を模式的に示す、図２相当の概念図
【符号の説明】
【００１５】
１：遊技機（パチンコ台）
２：台間機
３：紙幣識別装置
３ａ：紙幣識別装置の基板部
３ｂ：マイクロコンピュータあるいはＣＰＵ
４：制御部
４ａ：制御部の基板部
４ｂ：マイクロコンピュータ
５：電源部
６：パチンコ玉や遊戯用コインの供給口
７：ＩＯ手段
８：ケーブルあるいはワイヤハーネス
１０：台間機
１１：紙幣識別装置
１１ａ：紙幣識別装置の基板部
１１ｂ：マイクロコンピュータ
１２：制御部
１２ａ：制御部の基板部
【図１】
0003112727.tif 000003
【図２】
0003112727.tif 000004
【図３】
0003112727.tif 000005